(57)【要約】【課題】ユーザが撮影の度に画像サイズを設定する作業に煩わされ難いカメラを提供する。【解決手段】撮影レンズ５から取り込んだ被写体の画像を光電変換し画像データとして取得する光電変換部６と、レリーズボタン３の操作に基づいて画像データを記録画像として記録媒体１０に記録する記録処理部９とを備え、ユーザによるカメラ本体のハンドリング状態を判定するハンドリング判定部１４、及び、ハンドリング判定部１４による判定結果に応じて、記録媒体１０に記録される記録画像の解像度を決定する解像度決定部１５を有するカメラとした。【選択図】図２
2008160703.tif 000002
【特許請求の範囲】
【請求項１】
撮影レンズから取り込んだ被写体の画像を光電変換し画像データとして取得する光電変換部と、レリーズボタンの操作に基づいて前記画像データを記録画像として記録媒体に記録する記録処理部とを備えているカメラであって、
ユーザによるカメラ本体のハンドリング状態を判定するハンドリング判定部、及び
前記ハンドリング判定部による判定結果に応じて、前記記録媒体に記録される記録画像の解像度を決定する解像度決定部を有するカメラ。
【請求項２】
前記カメラ本体に前記撮影レンズの光軸と直交する横軸芯が定義されており、前記ハンドリング判定部は、前記横軸芯の水平面に対する傾斜角度、または、前記横軸芯の前記光軸を含む鉛直面に対する傾斜角度を検出する傾斜検出手段を有し、前記解像度決定部は前記傾斜検出手段によって検出された前記傾斜角度に応じて前記解像度を決定する請求項１に記載のカメラ。
【請求項３】
前記カメラ本体に前記撮影レンズの光軸と直交する横軸芯が定義されており、前記ハンドリング判定部は、前記横軸芯が水平面に沿った横位置と、前記横軸芯が前記光軸を含む鉛直面に沿った縦位置とのいずれに近いかを判別する縦横判別手段を有し、前記解像度決定部は前記縦横判別手段による判別結果に応じて前記解像度を決定する請求項１に記載のカメラ。
【請求項４】
前記カメラ本体に前記撮影レンズの光軸と直交する縦軸芯が定義されており、前記ハンドリング判定部は、ユーザによる前記カメラ本体の支持状態を検出するために、前記縦軸芯に関して前記レリーズボタンと反対側に設けられた生体センサを有する請求項１に記載のカメラ。
【請求項５】
前記カメラ本体に前記撮影レンズの光軸と直交する縦軸芯が定義されており、前記ハンドリング判定部は、ユーザによる前記カメラ本体の支持状態を検出するために、前記カメラ本体上に前記縦軸芯を挟むように離間配置された少なくとも２つの生体センサを有する請求項１に記載のカメラ。
【請求項６】
前記ハンドリング判定部は、前記撮影レンズの配置面と反対側の領域を撮像可能な補助撮像手段と、前記補助撮像手段によって撮像された画像から人物の顔画像を検出する顔検出手段と、前記顔検出手段によって検出された顔画像のサイズを判定する顔サイズ判定手段とを備える請求項１に記載のカメラ。
【請求項７】
撮影レンズから取り込んだ被写体の画像を光電変換し画像データとして取得する光電変換機能と、レリーズボタンの操作に基づいて前記画像データを記録画像として記録媒体に記録する記録処理機能とをコンピュータに実現させるカメラ用プログラムであって、
ユーザによるカメラ本体のハンドリング状態を判定するハンドリング判定部から送られる判定結果に応じて、前記記録媒体に記録する記録画像の解像度を決定する解像度決定機能をコンピュータに実現させるカメラ用プログラム。
【発明の詳細な説明】
【技術分野】
【０００１】
本発明は、撮影レンズから取り込んだ被写体の画像を光電変換し画像データとして取得する光電変換部と、レリーズボタンの操作に基づいて前記画像データを記録画像として記録媒体に記録する記録処理部とを備えているカメラ及びカメラ用プログラムに関する。
カメラの実際の形態としては、例えばデジタルカメラやデジタルビデオカメラの他に、カメラ機能付き携帯電話、カメラ機能付きＰＤＡ、などの撮影機能付き複合機などが含まれる。
【背景技術】
【０００２】
この種のカメラに関連する先行技術文献情報として下記に示す特許文献１がある。この特許文献１に記されたカメラはデジタルカメラの形態を有しており、ユーザが撮影して得られた写真を何に用いたいか、その利用目的を「Ｌ版プリント」、「ホームページ」などの選択肢から選択・設定することのできる撮影目的メニューがカメラ本体の液晶ディスプレイに表示される構成となっている。そして、そのメニューでの設定結果に基づいて、「Ｌ版プリント」用であれば画素数が１２８０×９６０の高画質で、「ホームページ」用であれば画素数が６４０×４８０の標準画質でという具合に、記録媒体に記録する際の画像サイズが目的に適した値に決定される。
【０００３】
【特許文献１】特開２００５−１１７５６３号公報（段落番号００２２、００２４、図２、図６）
【発明の開示】
【発明が解決しようとする課題】
【０００４】
しかし、特許文献１に記されたカメラでは、記録される写真の画像サイズを変更するためには、ユーザは撮影の度に撮影目的メニューで利用目的を指定するという煩雑な操作が必要であった。
【０００５】
そこで、本発明の目的は、上に例示した従来技術によるカメラの持つ前述した欠点に鑑み、ユーザが撮影の度に画像サイズを設定する作業に煩わされる虞の少ないカメラを提供することにある。
【課題を解決するための手段】
【０００６】
本発明の第１の特徴構成は、撮影レンズから取り込んだ被写体の画像を光電変換し画像データとして取得する光電変換部と、レリーズボタンの操作に基づいて前記画像データを記録画像として記録媒体に記録する記録処理部とを備えているカメラであって、
ユーザによるカメラ本体のハンドリング状態を判定するハンドリング判定部、及び
前記ハンドリング判定部による判定結果に応じて、前記記録媒体に記録される記録画像の解像度を決定する解像度決定部を有する点にある。
【０００７】
本発明の第１の特徴構成によるカメラでは、ユーザによるカメラ本体のハンドリング状態がハンドリング判定部によって判定され、その判定結果に基づいて、記録媒体に記録される画像データの解像度が自動的に適宜決定されるので、ユーザが撮影の度に手動で解像度を設定するという面倒な作業に煩わされなくて済む。
【０００８】
本発明の他の特徴構成は、前記カメラ本体に前記撮影レンズの光軸と直交する横軸芯が定義されており、前記ハンドリング判定部は、前記横軸芯の水平面に対する傾斜角度、または、前記横軸芯の前記光軸を含む鉛直面に対する傾斜角度を検出する傾斜検出手段を有し、前記解像度決定部は前記傾斜検出手段によって検出された前記傾斜角度に応じて前記解像度を決定する点にある。
【０００９】
すなわち、一般にユーザが撮影のためにカメラを被写体に向けて構える際、集団の記念写真やコンテストへの応募作品の撮影のように、真剣な気持ちで（或いはフォーマルな目的で）撮影する場合には、カメラの姿勢はカメラ本体の横軸芯が水平面に対して（横位置の場合）またはレンズの光軸を含む鉛直面に対して（縦位置の場合）比較的良く一致した直角姿勢になり易い。逆に、ブログ日記に掲載するメモ的な写真のように、比較的気軽な気持ちで（或いは気楽な目的で）撮影する場合には、カメラ本体の姿勢はカメラ本体の横軸芯が水平面またはレンズの光軸を含む鉛直面に対して傾斜した斜め姿勢になり易い。そこで、本発明の上記構成であれば、カメラ本体の横軸芯が水平面や鉛直面から傾いているほど解像度が小さく設定されるので、必然的に、フォーマルな目的の撮影では高解像度で質の高い画像が記録され、気楽な目的の撮影では比較的低解像度で低品質の画像が記録されるという合理的な結果が自動的に得られる。もちろん、ユーザがカメラの上記特性を意識的に利用して、例えば高解像度の画像を得るべく、カメラ本体の横軸芯が水平面や鉛直面に対して出来るだけ良く一致した姿勢でカメラを構えて撮影するといった応用も可能である。
【００１０】
本発明の他の特徴構成は、前記カメラ本体に前記撮影レンズの光軸と直交する横軸芯が定義されており、前記ハンドリング判定部は、前記横軸芯が水平面に沿った横位置と、前記横軸芯が前記光軸を含む鉛直面に沿った縦位置とのいずれに近いかを判別する縦横判別手段を有し、前記解像度決定部は前記縦横判別手段による判別結果に応じて前記解像度を決定する点にある。
【００１１】
本構成であれば、例えば、カメラ本体が横位置に近い時には一般的な中位の解像度の標準画質で記録され、カメラ本体が縦位置に近い時にはより画素数の多い高解像度で記録されるというカメラの設定状態をユーザが事前に知っておくことで、標準画質で記録したい時にはカメラ本体を横位置にして撮影し、高画質で記録したい時にはカメラ本体を縦位置にして撮影する、などの便利な使い分けが可能となる。
【００１２】
本発明の他の特徴構成は、前記カメラ本体に前記撮影レンズの光軸と直交する縦軸芯が定義されており、前記ハンドリング判定部は、ユーザによる前記カメラ本体の支持状態を検出するために、前記縦軸芯に関して前記レリーズボタンと反対側に設けられた生体センサを有する点にある。
【００１３】
すなわち、一般にユーザが撮影のためにカメラを被写体に向けて構える際、真剣な気持ちで（或いはフォーマルな目的で）撮影する場合には、カメラの本体を両手でしっかりとホールドしながら撮影する傾向があり、逆に、より気軽な気持ちで（或いは気楽な目的で）撮影する場合には、レリーズボタンを操作し易い方の片手で安易にカメラの本体をホールドしながら撮影する傾向がある。そこで、本発明の上記構成であれば、例えば、レリーズボタンの反対側に設けられた生体センサがユーザによる支持状態を検出できない場合は標準画質で記録され、同生体センサがユーザによる支持状態を検出した場合は高画質で記録されるように設定することで、必然的に、フォーマルな目的の撮影では高解像度で質の高い画像が記録され、気楽な目的の撮影では比較的低解像度で低品質の画像が記録されるという合理的な結果が自動的に得られる。もちろん、カメラの上記特性を利用して、例えばユーザがカメラ本体の生体センサ部分をホールドしながら撮影することで、意図的に高解像度の画像を得るといった利用方法も可能である。
【００１４】
本発明の他の特徴構成は、前記カメラ本体に前記撮影レンズの光軸と直交する縦軸芯が定義されており、前記ハンドリング判定部は、ユーザによる前記カメラ本体の支持状態を検出するために、前記カメラ本体上に前記縦軸芯を挟むように離間配置された少なくとも２つの生体センサを有する点にある。
【００１５】
すなわち、一般にユーザが撮影のためにカメラを被写体に向けて構える際、より真剣な気持ちで（或いはフォーマルな目的で）撮影する場合には、カメラの本体を両手で確実にホールドしながら撮影しようとする傾向があり、逆に、より気軽な気持ちで（或いは気楽な目的で）撮影する場合には、レリーズボタンを操作し易い方の片手で安易にカメラの本体をホールドしながら撮影する傾向がある。そこで、本発明の上記構成であれば、例えば、互いに離間した２つの生体センサの一方のみがユーザによる支持状態を検出できた場合は標準的な解像度で記録され、２つの生体センサの双方がユーザによる支持状態を検出できた場合は高解像度で記録されるように設定することで、必然的に、フォーマルな目的の撮影では高解像度で質の高い画像が記録され、気楽な目的の撮影では比較的低解像度で低品質の画像が記録されるという合理的な結果が自動的に得られる。もちろん、カメラの上記特性を利用して、例えばユーザがカメラ本体の２つの生体センサ部分の双方をホールドしながら撮影することで、意図的に高解像度の画像を得るといった利用方法も可能である。
【００１６】
本発明の他の特徴構成は、前記ハンドリング判定部は、前記撮影レンズの配置面と反対側の領域を撮像可能な補助撮像手段と、前記補助撮像手段によって撮像された画像から人物の顔画像を検出する顔検出手段と、前記顔検出手段によって検出された顔画像のサイズを判定する顔サイズ判定手段とを備える点にある。
【００１７】
すなわち、一般にユーザが撮影のためにカメラを被写体に向けて構える際、より真剣な気持ちで（或いはフォーマルな目的で）撮影する場合には、カメラの本体を自分の顔の前に近付けて撮影する傾向があり、逆に、より気軽な気持ちで（或いは気楽な目的で）撮影する場合には、カメラの本体を自分の目の前から離して撮影する傾向がある。そこで、本発明の上記構成であれば、例えば、補助撮像手段によって撮像された画像内に顔サイズ判定手段が所定のサイズを下回る顔画像しか検出できない場合は標準的な解像度で記録され、顔サイズ判定手段が所定のサイズを上回る顔画像を検出した場合は高解像度で記録されるように設定することで、必然的に、フォーマルな目的の撮影では高解像度で質の高い画像が記録され、気楽な目的の撮影では比較的低解像度で低品質の画像が記録されるという合理的な結果が自動的に得られる。もちろん、カメラの上記特性を利用して、例えばユーザが補助撮影手段に顔を近づけて撮影することで、意図的に高解像度の画像を得るといった利用方法も可能である。
【００１８】
本発明は、撮影レンズから取り込んだ被写体の画像を光電変換し画像データとして取得する光電変換機能と、レリーズボタンの操作に基づいて前記画像データを記録画像として記録媒体に記録する記録処理機能とをコンピュータに実現させるカメラ用プログラムであって、ユーザによるカメラ本体のハンドリング状態を判定するハンドリング判定部から送られる判定結果に応じて、前記記録媒体に記録する記録画像の解像度を決定する解像度決定機能をコンピュータに実現させるカメラ用プログラムをも権利範囲に含む。
【００１９】
上記のカメラ用プログラムを組み込んだカメラでは、カメラに内蔵されたコンピュータは、当該プログラムに基づいて動作することで、ユーザによるカメラ本体のハンドリング状態を判定するハンドリング判定部から送られる判定結果に応じて、記録媒体に記録する記録画像の解像度を自動的に決定する解像度決定機能を実現可能となる。従って、ユーザは撮影に際して、記録媒体に記録される記録画像の解像度を設定する手間が省けて、より円滑な撮影操作が可能となった。
【発明を実施するための最良の形態】
【００２０】
以下に本発明による最良の実施形態について図面を参照しながら説明する。
（第１実施形態）
図１は本発明の一実施形態としてのカメラ機能付き携帯電話機の概略斜視図を示す。
この携帯電話機１（カメラの一例）は、主操作部２を備えた下部筐体１Ａと、液晶モニタ８を備えた上部筐体１Ｂとを有する。
写真撮影用の撮影レンズ５が上部筐体１Ｂの裏面に配置されている。ユーザによる写真撮影操作は、主に、下部筐体１Ａの主操作部２に配置された主操作ボタン３によって実施され、この主操作ボタン３はレリーズボタンを兼ねている。ユーザが撮影しようとする被写体を特定するためのファインダとしては液晶モニタ８が使用される。
【００２１】
また、撮影レンズ５による光の入射位置には、撮影レンズ５から取り込んだ被写体の画像を光電変換し、画像データとして取得するためのＣＣＤなどの光電変換素子（不図示）が設けられ光電変換ユニット６を構成している。さらに、上部筐体１Ｂには、光電変換ユニット６によって得られた画像データを記録画像としてフラッシュメモリなどの記録媒体１０に記録する記録処理部９が備えられている。
この携帯電話機１では、ＣＰＵを中核部材として撮影画像を取得する種々の動作を行うための主制御部２０が、ハードウェア又はソフトウェア或いはその両方で構築されている。図２は、携帯電話機１の構成を模式的に示すブロック図である。
【００２２】
撮影レンズ５によって撮影された画像は、光電変換ユニット６にて画像データに変換される。つまり、撮影レンズ５を通して得られた撮影画像を光電変換素子によって、デジタルデータ化して撮影画像の画像データが得られ、更に、ＬＣＤドライバ７によって駆動される液晶モニタ８はこの画像データに基づいて撮影画像を表示し、記録媒体１０に記録する等の操作もこの画像データによって可能になる。
【００２３】
この携帯電話機１では、記録媒体１０に記録される撮影画像の解像度を決定する解像度決定部１５が設けられている。また、上部筐体１Ｂの側面には、解像度を手動で設定する手動設定モードと、解像度を自動的に決定する自動設定モードとの間で切り換えるためのモード切換スイッチ１１が配置されている。解像度としては、「携帯サイズ」（１２０×１６０）、「壁紙サイズ」（２４０×３２０）、「ＶＧＡ」（６４０×４８０）、「ＳＸＧＡ」（１２８０×９６０）の４種類が用意されている（各括弧内の数値は画像を構成する画素数を示す）。
モード切換スイッチ１１が手動設定モードになっている場合、「携帯サイズ」がデフォルトの解像度となり、ユーザは液晶モニタ８の案内画面に基づく主操作スイッチ３の操作によって他の解像度に変更することができる。
【００２４】
また、上部筐体１Ｂには撮影レンズ５の光軸Ｘと直交し、上部筐体１Ｂの中心部を横切る１本の横軸芯Ｙが定義されており、上部筐体１Ｂには、横軸芯Ｙの水平面または光軸Ｘを含む鉛直面に対する傾斜角度θを検出する傾斜センサ１２が内蔵されている。傾斜センサ１２は、ユーザによる携帯電話機１のハンドリング状態を判定するハンドリング判定部１４を構成している。
【００２５】
モード切換スイッチ１１が自動設定モードになっている場合、解像度決定部１５は、ハンドリング判定部１４によって判定されたハンドリング状態に基づいて解像度を設定するが、本実施形態におけるハンドリング状態とは、主操作スイッチ３がレリーズボタンとして押された瞬間における携帯電話機１の傾斜度を指し、ここでは傾斜センサ１２によって検出された傾斜度が大きいほど解像度が小さくなるものとする。このため制御部２０には、横軸芯Ｙの傾斜度と解像度との間の予め決められた対応関係を示す解像度テーブル１６が設けられている。解像度決定部１５は解像度テーブル１６を参照することで、撮影画像の解像度を決定する。
【００２６】
対応関係の一例としては、横軸芯Ｙの水平面に対する傾斜度θが０°〜±５°の範囲ではＳＸＧＡが選択され、θが±５°〜±１０°の範囲ではＶＧＡが選択され、θが±１０°〜±２０°の範囲では壁紙サイズが選択され、θが±２０°〜４５°の範囲では携帯サイズが選択されるように実施すれば良い。尚、θが４５°を超えて、さらに横軸芯Ｙが光軸Ｘを含む鉛直面に近付く姿勢まで引き続き傾斜させて行くと逆に次第に解像度が大きくなり、最終的に横軸芯Ｙの水平面に対する傾斜度θが±８５°〜±９０°の範囲は、横軸芯Ｙの光軸Ｘを含む鉛直面に対する傾斜度θが０°〜±５°となる範囲に相当し、再びＳＸＧＡが選択されるように構成されている。
【００２７】
【表１】
2008160703.tif 000003
表１．解像度テーブルの例
【００２８】
（変形例）
ハンドリング判定部１４が、携帯電話機１が横位置と縦位置とのいずれに近い姿勢でホールドされているかを判別する縦横判別手段として機能し、解像度決定部１５はこの縦横判別手段による判別結果に応じて解像度を決定する構成としても良い。ここで、横位置とは横軸芯Ｙが光軸Ｘを含む鉛直面よりも水平面に近い姿勢を指し、縦位置とは横軸芯Ｙが水平線よりも光軸Ｘを含む鉛直面に近い姿勢を指す。縦横判別手段としては上記の実施形態で説明した傾斜センサ１２を用いることができる。
【００２９】
縦横判別結果と解像度との対応関係の一例としては、例えば、横軸芯Ｙの水平面に対する傾斜度θが０°〜±４５°の範囲では縦位置でのホールド状態と判別されて携帯サイズが選択され、θが４５°〜±９０°の範囲では横位置でのホールド状態と判別されて壁紙サイズが選択されるように構成する、等が可能である。
【００３０】
（第２実施形態）
図３に示す携帯電話機２１（カメラの一例）は、下部筐体２１Ａと上部筐体２１Ｂとを備え、上部筐体２１Ｂには撮影レンズ５の光軸Ｘと直交し、下部筐体２１Ａと上部筐体２１Ｂとの間のヒンジ部Ｊで折れ曲がった縦軸芯Ｚが定義されている。
下部筐体２１Ａの下方には、縦軸芯Ｚを挟んで互いに左右に離間した位置に一対の弾性パッド２３が配置されている。ハンドリング判定部１４は、ユーザによる下部筐体２１Ａの支持状態を検出するために、各弾性パッド２３の背後に埋設された感圧センサ２４Ｌ，２４Ｒ（生体センサの一例）を有する。
【００３１】
図４に示すように、この実施形態では、制御部２０のハンドリング判定部１４が判定するハンドリング状態とは、主操作スイッチ３がレリーズボタンとして押された瞬間において、一対の感圧センサ２４Ｌ，２４Ｒのいずれがユーザの支持による圧力を検出するかを指す。その判定結果と解像度との対応関係の一例としては、例えば、左右一方の感圧センサ２４Ｌ（または２４Ｒ）のみが感圧している状態では解像度の小さな携帯サイズが選択され、左右双方の感圧センサ２４Ｌ，２４Ｒが同時に感圧している状態では解像度の比較的大きな壁紙サイズが選択される、等の設定が可能である。
【００３２】
生体センサとして感圧センサを用いる場合、ユーザがカメラ本体をホールドする際に圧力センサに加えられる圧力の値に応じて、強い圧力でホールドするほど比例的により高解像度の画像として記録される構成とすることも可能である。
【００３３】
生体センサとしては、感圧センサの他に、ユーザの指頭を介して伝えられる体温を検出する感熱センサ、脈拍を検出するパルスセンサ、等を用いることができる。
【００３４】
生体センサとして上記のパルスセンサを用いる場合、検出された脈拍数がユーザの標準値に対して大きいほど、より高解像度の画像として記録される構成とすることも可能である。これはユーザがより真剣な気持ちで（或いはフォーマルな目的で）撮影するほど緊張度が高まるため、脈拍数が高まるとの知見に基づく構成である。
【００３５】
（変形例）
図５に例示するように、本発明をレリーズボタン３３がカメラ本体の上面の右側に配置されたデジタルカメラ３１（カメラの一例）に適用する場合、ユーザによるカメラ本体の支持状態を検出する生体センサ３４を、撮影レンズ５の光軸Ｘと直交する１本の縦軸芯Ｚに関してレリーズボタン３３の左側にのみ埋設しても良い。
【００３６】
ここでは、ハンドリング判定部１４が判定するハンドリング状態とは、レリーズボタン３３が押された瞬間において、生体センサ３４がユーザによる支持のための圧力を検出するか否かを指す。その判定結果と解像度との対応関係の一例としては、例えば、生体センサ３４が圧力を検出していない状態では、レリーズボタン３３に指を掛けた側の片手によるホールド状態と見なして、解像度の小さな携帯サイズが選択され、他方、生体センサ３４が圧力を検出している状態では両手によるホールド状態と見なし、解像度の比較的大きな壁紙サイズが選択される、等の設定が可能である。
【００３７】
（第３実施形態）
図６に示す携帯電話機４１（カメラの一例）では、撮影レンズ５が取り付けられた側と反対側にある被写体を、したがって通常は撮影レンズ５で撮影しようとしているユーザの姿を撮像可能な補助撮像レンズ３６が液晶モニタ８に対して隣接配置されている。図７に示すように、制御部２０には、補助撮像レンズ３６によって撮像された画像から人物の顔画像を検出する顔検出手段３７と、顔検出手段３７によって検出された顔画像のサイズを判定する顔サイズ判定手段３８とが設けられている。モード切換スイッチ１１が自動設定モードになっている場合、ハンドリング判定部１４は、顔サイズ判定手段３８によって判定された顔画像のサイズに基づいて、ユーザが携帯電話機４１を自分の顔に十分に近付けた状態か否かを判定する。
尚、画像データから人物の顔画像を検出する処理は、特開平８−６３５９７号公報、特開２０００−４８１８４号公報等に示される公知の技術によって実現される。
【００３８】
その判定結果と解像度との対応関係の一例としては、例えば、ユーザが携帯電話機４１を自分の顔に近付けずに操作スイッチ３がレリーズボタンとして押されたと判定された場合は、解像度の小さな携帯サイズが選択され、他方、携帯電話機４１を自分の顔に十分に近付けた状態で操作スイッチ３が操作されたと判定された場合は、解像度の少し大きな壁紙サイズが選択される、等の設定が可能である。
【００３９】
〔別実施形態〕
〈１〉上記の第１から第３実施形態において携帯電話機の形態に基づいて説明した発明は、通話や通信の機能を担持しない撮影専用のデジタルカメラとして実施することも可能である。
【００４０】
〈２〉本発明は静止画用のカメラに限らず、動画を撮影、記録するカメラにも適用可能である。
【図面の簡単な説明】
【００４１】
【図１】第１実施形態によるカメラの外観斜視図
【図２】図１のカメラの構成を模式的に示すブロック図
【図３】第２実施形態によるカメラの外観斜視図
【図４】図３のカメラの構成を模式的に示すブロック図
【図５】第２実施形態の変形例を示す外観斜視図
【図６】第３実施形態によるカメラの外観斜視図
【図７】図６のカメラの構成を模式的に示すブロック図
【符号の説明】
【００４２】
Ｘ  光軸
Ｙ  横軸芯
Ｚ  縦軸芯
１，２１，４１  携帯電話機（カメラ）
２  主操作部
３  主操作ボタン（レリーズボタン）
５  撮影レンズ
６  光電変換ユニット（光電変換部）
１０  記録媒体
１２  傾斜センサ（傾斜検出手段、縦横判別手段）
１４  ハンドリング判定部
１５  解像度決定部
２４Ｌ，２４Ｒ  感圧センサ（生体センサ）
３１  デジタルカメラ（カメラ）
３３  レリーズボタン
３４  生体センサ
３６  補助撮影レンズ
３７  顔検出手段
３８  顔サイズ判定手段
【図１】
2008160703.tif 000004
【図２】
2008160703.tif 000005
【図３】
2008160703.tif 000006
【図４】
2008160703.tif 000007
【図５】
2008160703.tif 000008
【図６】
2008160703.tif 000009
【図７】
2008160703.tif 000010